(57)【要約】【課題】映像情報や音声情報に対応した処理を自動的に実行することができる動作制御装置を提供する。【解決手段】コンテンツ情報生成手段１１は、入力されたコンテンツ信号に応じたコンテンツ情報を生成する。情報比較手段１３は、コンテンツ情報生成手段１１が生成したコンテンツ情報と合致するコンテンツ情報がコンテンツ情報記憶手段に記憶されているか否かを判定する。動作情報記憶手段１４には、コンテンツ情報記憶手段に記憶されているコンテンツ情報に対応付けられて、実行する動作を示す動作情報が記憶されている。動作情報読出手段１６は、情報比較手段１３による判定結果に応じて、動作情報記憶手段１４からコンテンツ情報に対応付けられた動作情報を読み出す。処理実行手段１７は、動作情報読出手段１６が読み出した動作情報に応じて、動作情報によって示される動作を行うための処理を実行する。【選択図】      図３
2016046636.tif 000002
【特許請求の範囲】
【請求項１】
入力されたコンテンツ信号に応じたコンテンツ情報を生成するコンテンツ情報生成手段、
前記コンテンツ情報生成手段が生成した前記コンテンツ情報と合致するコンテンツ情報がコンテンツ情報記憶手段に記憶されているか否かを判定する情報比較手段、
前記コンテンツ情報記憶手段に記憶されている前記コンテンツ情報に対応付けられて、実行する動作を示す動作情報が記憶されている動作情報記憶手段、
前記情報比較手段による判定結果に応じて、前記動作情報記憶手段から前記コンテンツ情報に対応付けられた前記動作情報を読み出す動作情報読出手段、および
前記動作情報読出手段が読み出した前記動作情報に応じて、前記動作情報によって示される動作を行うための処理を実行する処理実行手段を備えた
ことを特徴とする動作制御装置。
【請求項２】
前記動作情報記憶手段には、コンテンツ信号を記憶手段に記憶させる動作を示す動作情報が記憶されている
請求項１に記載の動作制御装置。
【請求項３】
前記動作情報記憶手段には、前記コンテンツ信号を記憶手段に記憶させる動作を停止することを示す動作情報が記憶されている
請求項２記載の動作制御装置。
【請求項４】
前記動作情報記憶手段には、映像表示装置に、コンテンツ信号に基づく映像に重畳して所定の印を表示させる動作を示す動作情報が記憶されている
請求項１から請求項３のうちいずれかに記載の動作制御装置。
【請求項５】
前記動作情報記憶手段には、所定の電子メールアドレスに電子メールを送信する動作を示す動作情報が記憶されている
請求項１から請求項４のうちいずれかに記載の動作制御装置。
【請求項６】
前記動作情報記憶手段に、ユーザの操作に応じた動作情報を記憶させる設定手段を含む
請求項１から請求項５のうちいずれかに記載の動作制御装置。
【請求項７】
入力されたコンテンツ信号に応じたコンテンツ情報を生成するコンテンツ情報生成ステップ、
前記コンテンツ情報生成ステップで生成した前記コンテンツ情報と合致するコンテンツ情報がコンテンツ情報記憶手段に記憶されているか否かを判定する情報比較ステップ、
前記情報比較ステップにおける判定結果に応じて、前記コンテンツ情報記憶手段に記憶されている前記コンテンツ情報に対応付けられて、実行する動作を示す動作情報が記憶されている動作情報記憶手段から、前記コンテンツ情報に対応付けられた前記動作情報を読み出す動作情報読出ステップ、および
前記動作情報読出ステップで読み出した前記動作情報に応じて、前記動作情報によって示される動作を行うための処理を実行する処理実行ステップを含む
ことを特徴とする動作制御方法。
【請求項８】
コンピュータに、
入力されたコンテンツ信号に応じたコンテンツ情報を生成するコンテンツ情報生成処理、
前記コンテンツ情報生成処理で生成した前記コンテンツ情報と合致するコンテンツ情報がコンテンツ情報記憶手段に記憶されているか否かを判定する情報比較処理、
前記情報比較処理における判定結果に応じて、前記コンテンツ情報記憶手段に記憶されている前記コンテンツ情報に対応付けられて、実行する動作を示す動作情報が記憶されている動作情報記憶手段から、前記コンテンツ情報に対応付けられた前記動作情報を読み出す動作情報読出処理、および
前記動作情報読出処理で読み出した前記動作情報に応じて、前記動作情報によって示される動作を行うための処理を実行する実行処理を実行させる
ための動作制御プログラム。
【発明の詳細な説明】
【技術分野】
【０００１】
本発明は、映像や音声に対応した処理を実行する動作制御装置、動作制御方法、および動作制御プログラムに関する。
【背景技術】
【０００２】
テレビジョン放送に応じて、自動的に、番組部分のみを録画する録画装置や、表示内容を変更する表示装置がある。
【０００３】
前述したような録画装置は、例えば、テレビジョン放送に含まれる制御信号や音声信号に基づいて、録画を開始したり停止したりする。具体的には、そのような装置は、テレビジョン放送における音声信号が、ステレオ信号、２か国語信号、およびモノラル信号の間で相互に変化した場合に、録画を開始または停止する。
【０００４】
また、前述したような表示装置は、デジタル化されたテレビジョン放送に含まれる制御信号に応じて、データ放送画面を表示する。
【０００５】
特許文献１には、録画された映像から所定の映像を検出する方法が記載されている。特許文献２には、録画された映像と合致しない映像を録画する方法が記載されている。
【先行技術文献】
【特許文献】
【０００６】
【特許文献１】特開平１０−３２０４００号公報
【特許文献２】特開２００７−８１８９９号公報
【発明の概要】
【発明が解決しようとする課題】
【０００７】
しかし、前述したような録画装置は、ユーザが望むタイミングで音声信号が変化しなかった場合に、ユーザの意図とは異なった内容が録画されたり、またはユーザの意図とは異なって録画されなかったりしてしまうおそれがある。
【０００８】
また、前述したような表示装置は、ユーザの意図に反して表示画面が変化してしまうおそれがある。
【０００９】
したがって、前述したような録画装置や表示装置は、ユーザの意図に反した動作を行うおそれがある。
【００１０】
また、特許文献１に記載されている方法は、ユーザの意図に応じて自動的に処理を実行することができず、検出した各映像に応じた処理の実行にユーザによる操作を要するので手間がかかるという問題がある。
【００１１】
特許文献２に記載されている方法は、新規な特徴を有する映像（新人の芸能人やユーザの、日々成長する子供等）を録画等することができないという問題がある。
【００１２】
そこで、本発明は、映像情報や音声情報に対応した処理を自動的に実行することができる動作制御装置、動作制御方法、および動作制御プログラムを提供することを目的とする。
【課題を解決するための手段】
【００１３】
本発明による動作制御装置は、入力されたコンテンツ信号に応じたコンテンツ情報を生成するコンテンツ情報生成手段、コンテンツ情報生成手段が生成したコンテンツ情報と合致するコンテンツ情報がコンテンツ情報記憶手段に記憶されているか否かを判定する情報比較手段、コンテンツ情報記憶手段に記憶されているコンテンツ情報に対応付けられて、実行する動作を示す動作情報が記憶されている動作情報記憶手段、情報比較手段による判定結果に応じて、動作情報記憶手段からコンテンツ情報に対応付けられた動作情報を読み出す動作情報読出手段、および動作情報読出手段が読み出した動作情報に応じて、動作情報によって示される動作を行うための処理を実行する処理実行手段を備えたことを特徴とする。
【００１４】
本発明による動作制御方法は、入力されたコンテンツ信号に応じたコンテンツ情報を生成するコンテンツ情報生成ステップ、コンテンツ情報生成ステップで生成したコンテンツ情報と合致するコンテンツ情報がコンテンツ情報記憶手段に記憶されているか否かを判定する情報比較ステップ、情報比較ステップにおける判定結果に応じて、コンテンツ情報記憶手段に記憶されているコンテンツ情報に対応付けられて、実行する動作を示す動作情報が記憶されている動作情報記憶手段から、コンテンツ情報に対応付けられた動作情報を読み出す動作情報読出ステップ、および動作情報読出ステップで読み出した動作情報に応じて、動作情報によって示される動作を行うための処理を実行する処理実行ステップを含むことを特徴とする。
【００１５】
本発明による動作制御プログラムは、コンピュータに、入力されたコンテンツ信号に応じたコンテンツ情報を生成するコンテンツ情報生成処理、コンテンツ情報生成処理で生成したコンテンツ情報と合致するコンテンツ情報がコンテンツ情報記憶手段に記憶されているか否かを判定する情報比較処理、情報比較処理における判定結果に応じて、コンテンツ情報記憶手段に記憶されているコンテンツ情報に対応付けられて、実行する動作を示す動作情報が記憶されている動作情報記憶手段から、コンテンツ情報に対応付けられた動作情報を読み出す動作情報読出処理、および動作情報読出処理で読み出した動作情報に応じて、動作情報によって示される動作を行うための処理を実行する実行処理を実行させることを特徴とする。
【発明の効果】
【００１６】
本発明によれば、映像信号や音声信号に対応した処理を自動的に実行することができる。
【図面の簡単な説明】
【００１７】
【図１】本発明の第１の実施形態の情報処理装置の構成例を示すブロック図である。
【図２】本発明の第１の実施形態の情報処理装置の動作を示すフローチャートである。
【図３】本発明の第２の実施形態の動作制御装置の構成例を示すブロック図である。
【発明を実施するための形態】
【００１８】
実施形態１．
本発明の第１の実施形態の情報処理装置１００について、図面を参照して説明する。図１は、本発明の第１の実施形態の情報処理装置１００の構成例を示すブロック図である。図１に示すように、本発明の第１の実施形態の情報処理装置１００は、情報取得部１１０、認識対象情報ＤＢ（Ｄａｔａｂａｓｅ：データベース）１２０、情報比較部１３０、動作情報ＤＢ１４０、設定部１５０、制御部１６０、および処理実行部１７０を含む。そして、情報処理装置１００は、入力機器２００に接続されている。なお、情報処理装置１００は、例えば、プログラム制御に従って処理を実行するＣＰＵ（Ｃｅｎｔｒａｌ  Ｐｒｏｃｅｓｓｉｎｇ  Ｕｎｉｔ）が搭載されたコンピュータや、映像信号処理機能を有する専用の装置である。入力機器２００は、情報処理装置１００に、映像信号または音声信号のうち少なくとも一方を入力する。具体的には、セットトップボックス等のテレビジョン放送受信機や、ラジオ放送受信機、インターネット等の通信ネットワークを介して映像や音声を受信可能な通信端末等である。なお、本例では、入力機器２００は、動画像に応じた映像信号を受信して情報処理装置１００に入力するとして説明する。
【００１９】
情報取得部１１０は、入力機器２００が入力した映像信号から静止画像に応じた映像情報を生成する。具体的には、情報取得部１１０は、例えば、入力機器２００が入力した映像信号において、所定のタイミングにおける映像信号に基づく静止画像に応じた映像情報を生成する。なお、情報取得部１１０は、例えば、映像信号に基づく静止画像に含まれる被写体の特徴量を示す情報を含む映像情報を生成する。
【００２０】
認識対象情報ＤＢ１２０には、情報取得部１１０が生成した情報と合致するか否かを比較される対象の情報が記憶されている。本例では、認識対象情報ＤＢ１２０に記憶される映像情報は、例えば、設定部１５０に送信された動画像データに基づく映像に含まれる被写体の特徴量を示す情報を含む。
【００２１】
情報比較部１３０は、情報取得部１１０が生成した情報と、認識対象情報ＤＢ１２０に記憶されている情報とを比較して、情報取得部１１０が生成した情報と合致する情報が認識対象情報ＤＢ１２０に記憶されているか否かを判定する。本例では、情報取得部１１０が生成した映像情報と合致する映像情報が認識対象情報ＤＢ１２０に記憶されているか否かを判定する。
【００２２】
動作情報ＤＢ１４０には、情報比較部１３０における判定結果に応じた動作を示す動作情報が記憶されている。
【００２３】
設定部１５０は、認識対象情報ＤＢ１２０に情報を記憶させたり、動作情報ＤＢ１４０に動作情報を記憶させたりする。
【００２４】
制御部１６０は、情報比較部１３０における判定結果に応じて、動作情報ＤＢ１４０に記憶されている動作情報に基づく処理の実行を処理実行部１７０に指示する。
【００２５】
処理実行部１７０は、制御部１６０の指示に従って、処理を実行する。
【００２６】
次に、本発明の第１の実施形態の情報処理装置１００の動作について説明する。図２は、本発明の第１の実施形態の情報処理装置１００の動作を示すフローチャートである。図２に示すように、本発明の第１の実施形態の情報処理装置１００の設定部１５０は、操作部（図示せず）になされたユーザの操作に応じて、認識対象情報ＤＢ１２０に情報を記憶させる（ステップＳ１０１）。本例では、設定部１５０は、認識対象情報ＤＢ１２０に、所定のテレビジョン放送番組のタイトルが表示された画面の静止画に応じた映像情報を記憶させる。なお、設定部１５０は、他のコンピュータやスマートフォン、携帯電話機等の通信端末になされた操作に応じて送信された動画像データに基づく映像情報を生成する。そして、設定部１５０は、生成した映像情報を認識対象情報ＤＢ１２０に記憶させるように構成されていてもよい。
【００２７】
また、設定部１５０は、操作部になされたユーザの操作に応じて、ステップＳ１０１の処理で認識対象情報ＤＢ１２０に記憶された情報に対応する動作情報を動作情報ＤＢ１４０に記憶させる（ステップＳ１０２）。具体的には、動作情報は、例えば、所定の電子メールアドレスに電子メールを送信する動作や、所定の記憶機器に映像信号および音声情報のうち少なくとも一方を記憶開始させたり終了させたりする動作、映像表示機器に所定の告知画面を表示させる動作等を示す情報である。
【００２８】
本例では、設定部１５０は、ステップＳ１０１の処理で認識対象情報ＤＢ１２０に記憶された映像情報に応じて所定の電子メールアドレスに電子メールを送信する動作を示す動作情報を動作情報ＤＢ１４０に記憶させたとする。なお、設定部１５０は、例えば、ステップＳ１０１の処理で認識対象情報ＤＢ１２０に記憶させた情報と、当該情報に対応して動作情報ＤＢ１４０に記憶された動作情報とに、互いを対応付けるための識別子を付して、ＤＢ１２０，１４０にそれぞれ記憶させる。
【００２９】
入力機器２００によって映像信号が入力されると、情報取得部１１０が、所定のタイミングにおける映像信号に基づく静止画像に応じた映像情報を生成する（ステップＳ１０３）。なお、情報取得部１１０は、所定の時間間隔で映像情報を生成してもよいし、動画像を構成するフレームごとに映像情報を生成してもよい。
【００３０】
そして、情報比較部１３０は、ステップＳ１０３の処理で情報取得部１１０が生成した映像情報と認識対象情報ＤＢ１２０に記憶されている映像情報とを比較する（ステップＳ１０４）。そして、情報比較部１３０は、情報取得部１１０が生成した映像情報と合致する映像情報が認識対象情報ＤＢ１２０に記憶されているか否かを判定する（ステップＳ１０５）。
【００３１】
情報比較部１３０は、情報取得部１１０が生成した映像情報と合致する映像情報が認識対象情報ＤＢ１２０に記憶されていると判定した場合に（ステップＳ１０５のＹ）、以下の処理を実行する。すなわち、情報比較部１３０は、判定結果と当該映像情報を識別する情報（例えば、当該映像情報に付された識別子）とを制御部１６０に通知する（ステップＳ１０６）。そうでない場合に（ステップＳ１０５のＮ）、ステップＳ１０３の処理に移行する。
【００３２】
具体的には、例えば、所定のテレビジョン放送番組のタイトルが表示された画面の静止画の映像情報と合致する映像情報を情報取得部１１０が生成した場合に、情報比較部１３０によってステップＳ１０５の処理でＹと判定され、ステップＳ１０６の処理に移行する。
【００３３】
制御部１６０は、ステップＳ１０６の処理で、情報取得部１１０が生成した映像情報と合致する映像情報が認識対象情報ＤＢ１２０に記憶されていることを示す判定結果を通知された場合に、以下の処理を実行する。すなわち、制御部１６０は、動作情報ＤＢ１４０から当該映像情報に応じた動作情報を読み出す（ステップＳ１０７）。具体的には、例えば、ステップＳ１０６の処理において情報比較部１３０が通知した識別子が付された動作情報を動作情報ＤＢ１４０から読み出す。
【００３４】
制御部１６０は、ステップＳ１０７の処理で読み出した動作情報に基づく動作が行われるための処理の実行を処理実行部１７０に指示する。具体的には、制御部１６０は、例えば、所定の電子メールアドレスへの電子メールの送信を処理実行部１７０に指示する。
【００３５】
処理実行部１７０は、制御部１６０による指示に従って処理を実行する（ステップＳ１０８）。具体的には、処理実行部１７０は、例えば、所定の電子メールアドレスへ電子メールを送信する処理を実行する。
【００３６】
本実施形態によれば、認識対象情報ＤＢ１２０に所定の映像情報が記憶され、動作情報ＤＢ１４０に当該映像情報に応じた動作を示す動作情報が記憶される。そして、情報取得部１１０が、入力された映像信号に基づいて当該映像情報と合致する映像情報を生成した場合に、処理実行部１７０が、当該動作情報に応じた処理を実行する。
【００３７】
したがって、映像情報に対応した処理を自動的に実行することができる。
【００３８】
なお、本実施形態では、認識対象情報ＤＢ１２０に、所定のテレビジョン放送番組のタイトルが表示された画面の静止画に応じた映像情報が記憶されるが、他の映像情報や音声情報が記憶されてもよい。具体的には、例えば、所定のテレビジョン放送番組の開始時および終了時に表示される画面の映像情報や音声情報が記憶されてもよい。より具体的には、例えば、当該番組のスポンサー名が表示された画面や、当該番組の開始時や終了時に表示される字幕（エンドロール等）が表示された画面、コマーシャルメッセージの放送前後に表示されるアイキャッチが表示された画面等に応じた映像情報が記憶される。
【００３９】
そのような構成によれば、所定のテレビジョン放送番組や、当該番組のコマーシャルメッセージの開始時および終了時に、処理実行部１７０が所定の処理を実行することができる。具体的には、処理実行部１７０が、所定のテレビジョン放送番組の開始時にスポンサー名が表示されたことに応じて当該番組を録画するための処理を実行する。そして、処理実行部１７０が、コマーシャルメッセージの放送前に表示されるアイキャッチが表示されたことに応じて録画を停止するための処理を実行する。また、処理実行部１７０が、コマーシャルメッセージの放送後に表示されるアイキャッチが表示されたことに応じて録画を再開するための処理を実行する。そして、処理実行部１７０が、番組の終了時に表示される字幕（エンドロール等）が表示されたことに応じて、録画を終了するための処理を実行する。したがって、コマーシャルメッセージを除いて、処理実行部１７０が、所定のテレビジョン放送番組を録画するための処理を実行することができる。
【００４０】
なお、例えば、入力機器２００において、予め録画されて再生中のテレビジョン放送番組で、処理実行部１７０が、コマーシャルメッセージの放送前に表示されるアイキャッチが表示されたことに応じて再生早送りを開始するための処理を実行する。そして、処理実行部１７０が、コマーシャルメッセージの放送後に表示されるアイキャッチが表示されたことに応じて再生早送りを終了して通常再生するための処理を実行するように構成されていてもよい。そのような構成によれば、コマーシャルメッセージを除いて、処理実行部１７０が、所定のテレビジョン放送番組を再生するための処理を実行することができる。
【００４１】
また、認識対象情報ＤＢ１２０に記憶される情報は、人物を識別可能な画像（例えば、顔や背番号等の画像）等であってもよい。そして、情報比較部１３０は、認識対象情報ＤＢ１２０に記憶されている映像情報と合致する映像情報を、入力機器２００が入力した映像信号に基づいて情報取得部１１０が生成した場合に、処理実行部１７０が、所定の処理を実行してもよい。つまり、認識対象情報ＤＢ１２０に記憶されている映像情報に基づく人物が登場する映像が入力機器２００によって情報取得部１１０に入力された場合に、処理実行部１７０が、所定の処理を実行してもよい。そのような構成によれば、例えば、テレビジョン放送番組において、所定の芸能人が登場したタイミングに応じて、処理実行部１７０が、当該番組を録画するための処理を実行することができる。また、運動会等の学校行事が撮影された映像において、ユーザの子供が登場したタイミングに応じて、処理実行部１７０が、例えば、所定の印を当該映像に重畳して映像表示装置（図示せず）に表示させたり、所定の音声を出力させたりすることができる。そのような構成によれば、所定のタイミングでユーザに注目を促すことができる。
また、当該タイミングに応じて、処理実行部１７０が、例えば、当該映像を録画するための処理を実行して、当該子供が登場する映像集等の作成に役立てることができる。
【００４２】
また、認識対象情報ＤＢ１２０に記憶される情報は、文字や数字、記号、バーコード等を識別可能な画像等に応じた映像情報であってもよい。そして、認識対象情報ＤＢ１２０に記憶されている映像情報と合致する映像情報を、入力機器２００が入力した映像信号に基づいて情報取得部１１０が生成した場合に、処理実行部１７０が、所定の処理を実行してもよい。
【００４３】
認識対象情報ＤＢ１２０に記憶される情報は、音声情報であってもよい。そして、認識対象情報ＤＢ１２０に記憶されている音声情報において、例えば、単語や音程等の特徴量が合致する音声情報を、入力機器２００が入力した音声信号に基づいて情報取得部１１０が生成した場合に、処理実行部１７０が、所定の処理を実行してもよい。
【００４４】
なお、入力機器２００には、映像信号および音声信号が入力され、当該入力機器２００は、入力された映像信号および音声信号のうちいずれか一方を情報処理装置１００に入力する。そして、入力された信号に応じて情報取得部１１０によって生成された映像情報または音声情報に合致する情報が認識対象情報ＤＢ１２０に記憶されている場合に、処理実行部１７０は、以下の処理を実行するように構成されていてもよい。すなわち、当該情報に対応付けられた動作情報に基づき、入力機器２００に入力された映像信号および音声信号のうちの他方または両方を記憶装置に記憶させる処理を実行するように構成されていてもよい。
【００４５】
また、情報取得部１１０は、例えば、映像信号に基づく静止画像に含まれる被写体の特徴量に基づいて、当該被写体に応じた文字情報を含む映像情報を生成してもよい。具体的には、例えば、被写体が芸能人である場合に、芸能人の氏名を示す文字情報を含む映像情報を生成してもよい。さらに、認識対象情報ＤＢ１２０に記憶される情報は、文字情報であってもよい。そして、情報取得部１１０が生成した映像情報に含まれる文字情報と認識対象情報ＤＢ１２０に記憶されている文字情報とが合致した場合に、処理実行部１７０が、所定の処理を実行するように構成されていてもよい。
【００４６】
実施形態２．
次に、本発明の第２の実施形態の動作制御装置１０について、図面を参照して説明する。図３は、本発明の第２の実施形態の動作制御装置１０の構成例を示すブロック図である。
【００４７】
図３に示すように、本発明の第２の実施形態の動作制御装置１０は、コンテンツ情報生成手段１１、情報比較手段１３、動作情報記憶手段１４、動作情報読出手段１６、処理実行手段１７を含む。
【００４８】
コンテンツ情報生成手段１１は、図１に示す第１の実施形態の情報取得部１１０に相当する。情報比較手段１３は、図１に示す第１の実施形態の情報比較部１３０に相当する。動作情報記憶手段１４は、図１に示す第１の実施形態の動作情報ＤＢ１４０に相当する。動作情報読出手段１６は、図１に示す第１の実施形態の制御部１６０に相当する。処理実行手段１７は、図１に示す第１の実施形態の処理実行部１７０に相当する。
【００４９】
コンテンツ情報生成手段１１は、入力されたコンテンツ信号（第１の実施形態における映像信号または音声信号に相当）に応じたコンテンツ情報（第１の実施形態における映像情報または音声情報に相当）を生成する。情報比較手段１３は、コンテンツ情報生成手段１１が生成したコンテンツ情報と合致するコンテンツ情報がコンテンツ情報記憶手段（図１に示す第１の実施形態の認識対象情報ＤＢ１２０に相当）に記憶されているか否かを判定する。
【００５０】
動作情報記憶手段１４には、コンテンツ情報記憶手段に記憶されているコンテンツ情報に対応付けられて、実行する動作を示す動作情報が記憶されている。動作情報読出手段１６は、情報比較手段１３による判定結果に応じて、動作情報記憶手段１４からコンテンツ情報に対応付けられた動作情報を読み出す。処理実行手段１７は、動作情報読出手段１６が読み出した動作情報に応じて、動作情報によって示される動作を行うための処理を実行する。
【００５１】
本実施形態によれば、映像信号や音声信号に対応した処理を自動的に実行することができる。
【符号の説明】
【００５２】
１０    動作制御装置
１１    コンテンツ情報生成手段
１３    情報比較手段
１４    動作情報記憶手段
１６    動作情報読出手段
１７    処理実行手段
１００    情報処理装置
１１０    情報取得部
１２０    認識対象情報ＤＢ
１３０    情報比較部
１４０    動作情報ＤＢ
１５０    設定部
１６０    制御部
１７０    処理実行部
２００    入力機器
【図１】
2016046636.tif 000003
【図２】
2016046636.tif 000004
【図３】
2016046636.tif 000005